(57)【要約】【課題】効率的かつ安定的にマルチユーザ伝送を行うことができる無線通信方法を提供する。【解決手段】複数の無線局に信号を送信するマルチユーザ伝送を行う無線通信方法であって、送信すべき信号それぞれのビット長を算出する算出ステップと、算出ステップにより算出した最長ビット長より短いビット長の信号に対して、短いビット長の信号より長い部分の最長ビット長の信号のビット列を複製して付加することにより、送信すべき信号それぞれのビット長を同一にするビット付加ステップとを有する。【選択図】図１
2014192607.tif 000002
【特許請求の範囲】
【請求項１】
複数の無線局に信号を送信するマルチユーザ伝送を行う無線通信方法であって、
送信すべき信号それぞれのビット長を算出する算出ステップと、
前記算出ステップにより算出した最長ビット長より短いビット長の信号に対して、前記短いビット長の信号より長い部分の前記最長ビット長の信号のビット列を複製して付加することにより、送信すべき信号それぞれのビット長を同一にするビット付加ステップと
を有することを特徴とする無線通信方法。
【請求項２】
複数の無線局に信号を送信するマルチユーザＭＩＭＯ通信を用いた無線通信方法であって、
送信すべき信号それぞれのシンボル数を算出する算出ステップと、
前記算出ステップにより算出した最大シンボル数より小さいシンボル数の信号に対して、前記小さいシンボル数の信号より大きい部分の前記最大シンボル数の信号を複製して付加することにより、送信すべき信号それぞれのシンボル数を同一にする信号付加ステップと
を有することを特徴とする無線通信方法。
【請求項３】
前記信号付加ステップでは、前記信号の複製を行う際に、複製する信号に応じて変調方式の調整を行うことを特徴とする請求項２に記載の無線通信方法。
【請求項４】
前記信号付加ステップでは、前記信号の複製を行う際に、複製する信号に応じ送信ウエイトの調整を行うことを特徴とする請求項２または３に記載の無線通信方法。
【請求項５】
複数の無線局に信号を送信するマルチユーザ伝送を行う無線通信装置であって、
送信すべき信号それぞれのビット長を算出する算出手段と、
前記算出手段により算出した最長ビット長より短いビット長の信号に対して、前記短いビット長の信号より長い部分の前記最長ビット長の信号のビット列を複製して付加することにより、送信すべき信号それぞれのビット長を同一にするビット付加手段と
を備えることを特徴とする無線通信装置。
【請求項６】
複数の無線局に信号を送信するマルチユーザＭＩＭＯ通信を用いた無線通信装置であって、
送信すべき信号それぞれのシンボル数を算出する算出手段と、
前記算出手段により算出した最大シンボル数より小さいシンボル数の信号に対して、前記小さいシンボル数の信号より大きい部分の前記最大シンボル数の信号を複製して付加することにより、送信すべき信号それぞれのシンボル数を同一にする信号付加手段と
を備えることを特徴とする無線通信装置。
【発明の詳細な説明】
【技術分野】
【０００１】
本発明は、マルチユーザ伝送を行う無線通信方法及び無線通信装置に関する。
【背景技術】
【０００２】
５ＧＨｚ帯を用いた高速無線アクセスシステムの規格として、ＩＥＥＥ８０２．１１ａ規格がある。この規格のシステムは、マルチパスフェージング環境での特性を安定化させるための技術である直交周波数分割多重（ＯＦＤＭ：Orthogonal Frequency Division Multiplexing）変調方式を用い、最大で５４Ｍｂｐｓのスループットを実現している（例えば、非特許文献１参照）。
【０００３】
また、ＩＥＥＥ８０２．１１ｎでは、複数のアンテナを用いて同一時刻及び同一周波数チャネルを用いて複数のデータストリームを空間多重することでスループットを向上させるＭＩＭＯ（Multiple input multiple output）通信技術や、これまで個別に用いられていた２０ＭＨｚの周波数チャネルを２つ同時に利用して４０ＭＨｚの周波数チャネルを利用する技術により高速通信の実現を目指し、最大６００Ｍｂｐｓの伝送速度を実現することが可能である（例えば、非特許文献１参照）。
【０００４】
さらに、規格が策定中であるＩＥＥＥ８０２．１１ａｃでは、同一周波数チャネル、同一時刻に、複数の無線局それぞれにことなるデータストリームを伝送するマルチユーザＭＩＭＯ通信技術により、ＩＥＥＥ８０２．１１ｎより１Ｇｂｐｓを超える高速な無線通信の実現を目指している（例えば、非特許文献２参照）。
【０００５】
ここで、マルチユーザＭＩＭＯ通信について図を用いて具体的に説明する。図８は、マルチユーザ−ＭＩＭＯ伝送の概念図を示す図である。図８に示す無線通信システムは、基地局１００と、基地局１００と無線パケット通信を行う端末局１０１−１と端末局１０１−２とを具備している。また、Ｈ１とＨ２は、伝搬チャネルを示している。図９は、マルチユーザ−ＭＩＭＯ伝送の動作を示すタイムチャートである。図９において、キャリアセンス（ＣＳ）は、他の無線局が通信を行なっているかを確認するフレームである。ヌルデータパケットアナウンスメント（ＮＤＰＡ：Null Data Packet Announcement）は、ヌルデータパケットの送信を知らせるフレームである。
【０００６】
ヌルデータパケット（ＮＤＰ：Null Data Packet）はヌルデータで構成するフレームである。ビームフォーミングレポート（ＢＲ：Beamforming Report）は、ＮＤＰから推定された伝搬チャネル情報を通知するフレームである。ビームフォーミングレポートポール（ＢＲＰ：Beamforming Report Poll）は、伝搬チャネル情報の通知を要求する。データ（Ｄａｔａ１、Ｄａｔａ２）は、端末局１０１−１および端末局１０１−２に送信すべきデータで構成するフレームである。ブロックＡＣＫ（ＢＡＣＫ：Block Acknowledgment）は、信号が正しく受信されたかを通知するフレームである。ブロックＡＣＫリクエスト（ＢＡＣＫＲ：BlockAcknowledgment Request）は、ブロックＡＣＫを要求するフレームである。
【０００７】
次に、図９を参照して、図８に示す基地局１００と端末局１０１−１、１０１−２の動作を説明する。基地局１００において、端末局１０１−１および１０１−２に対して送信すべきパケットのデータ（送信対象データ）が発生すると、ランダムな時間間隔によりキャリアセンス（ＣＳ）を実行する（ステップＳ１）。キャリアセンスにより、通信周波数帯域が使用されていないアイドル状態と、通信周波数帯域が使用されているビジー状態のいずれであるのかが判定される。例えば、時刻ｔ１において実行したキャリアセンスにより、通信周波数帯域が使用されていないアイドル状態であることが検出されたとする。これに応じて、基地局１００は、例えば時刻ｔ２から或る時間を経過した時刻ｔ３からｔ４までの期間においてＮＤＰＡを生成して送信する（ステップＳ２）。
【０００８】
次に、基地局１００は、時刻ｔ４から或る時間を経過した時刻ｔ５からｔ６までの期間において伝搬チャネル推定用のＮＤＰを生成して送信する（ステップＳ３）。この際、基地局１００は、送信対象データの宛先の端末局１０１−１および１０−２を認識する。そして、これと同じ端末局１０１−１および１０１−２を宛先として指定して、測定用信号を送信する。
【０００９】
測定用信号の受信に応じて、端末局１０１−１および端末局１０１−２は、同じ時刻ｔ５からｔ６の期間内において伝搬チャネル特性を測定する。そして、端末局１０１−１および端末局１０１−２は、時刻ｔ３からｔ４の期間において伝搬チャネル特性もしくは伝搬チャネル特性から算出された情報を含むＢＲを生成する。
【００１０】
次に、端末局１０１−１は、時刻ｔ６から或る時間を経過した時刻ｔ７からｔ８の期間においてＢＲを送信する（ステップＳ４）。続いて、基地局１００は、端末局１０１−２に対し、時刻ｔ８から或る時間を経過した時刻ｔ９からｔ１０の期間において伝搬チャネル情報を要求するＢＲＰを生成し、送信を行う（ステップＳ５）。そして、端末局１０１−２は、上記ＢＲＰの受信に応じて、時刻ｔ１０から或る時間を経過した時刻ｔ１１からｔ１２の期間においてＢＲを送信する（ステップＳ６）。
【００１１】
次に、基地局１００は、通知されたＢＲを用いて送信ウエイトの算出および、送信信号の生成を行う。そして、基地局１００は、時刻ｔ１２から規定時間を経過した時刻ｔ１３からｔ１４の期間において、送信対象データを送信する（ステップＳ７）。なお、時刻ｔ１３からｔ１４の期間において送信されるデータは、例えば無線通信に適合したフレームに変換されている。また、フレームアグリゲーションが適用されている場合、時刻ｔ１３からｔ１４の期間において送信されるデータは、所定数のフレームが連結されたデータユニットとなる。
【００１２】
次に、時刻ｔ１４に対応してデータの受信が終了するのに応答して、端末局１０１−１は、時刻ｔ１４から或る時間を経過した時刻ｔ１５からｔ１６の期間においてＢＡＣＫを送信する（ステップＳ８）。基地局１００は、このＡＣＫを受信するとともに、当該ＡＣＫの受信に応じた所定の処理を実行する。具体的に、基地局１００は、例えばＢＡＣＫの受信によりデータが正常に受信側で受信されたものと判断し、次のデータ送受信のための処理に遷移する。また、ＢＡＣＫが受信されることなくタイムアウトした場合には、送信対象データを再送するなどの処理を実行する。
【００１３】
次に、基地局１００は、端末局１０１−２に対し、時刻ｔ１６から或る時間を経過した時刻ｔ１７からｔ１８の期間において伝搬チャネル情報を要求するＢＡＣＫＲを生成し、送信を行う（ステップＳ９）。続いて、端末局１０１−２は、時刻ｔ１８から或る時間を経過した時刻ｔ１９からｔ２０の期間においてＢＡＣＫを送信する（ステップＳ１０）。基地局１００は、このＡＣＫを受信するとともに、当該ＡＣＫの受信に応じた所定の処理を実行する。このような動作によってマルチユーザＭＩＭＯ通信を行うこととなる。
【先行技術文献】
【非特許文献】
【００１４】
【非特許文献１】守倉正博、久保田周治、「改訂三版８０２．１１高速無線ＬＡＮ教科書」、インプレスＲ＆Ｄ、２００８年３月２７日
【非特許文献２】IEEE P802.11ac/D1.0 Draft STANDARD for Information Technology-Telecommunications and information exchange between systems-Local and metropolitan area networks-Specific requirements Part 11: Wireless LAN Medium Access Control(MAC) and Physical Layer(PHY) specifications Amendment 5: Enhancements for Very High Throughput for Operation in Bands below 6 GHz
【発明の概要】
【発明が解決しようとする課題】
【００１５】
しかしながら、マルチユーザＭＩＭＯ通信において、無線ＬＡＮシステムで用いられるパケットベースの通信においては問題が残る。これらの無線ＬＡＮシステムでは、有線区間ではデータ長が可変のＥｔｈｅｒｎｅｔ（登録商標）フレームと呼ばれるパケットを用いて通信を行う。また、無線ＬＡＮシステムでは適応変調が採用され、ＢＰＳＫ、ＱＰＳＫ、１６ＱＡＭ、６４ＱＡＭ等の様々な伝送速度の変調モードを状況に応じて可変制御する。また、マルチユーザＭＩＭＯ通信においても、空間多重する信号系列の多重数を変えれば、同様に伝送速度も可変となる。これらの理由のため、ある端末局との通信に必要となる所要時間は、パケット長に比例すると共に、伝送速度に反比例する。したがって、各端末毎に所要時間にばらつきが発生する。
【００１６】
図１０は、無線ＬＡＮ標準規格におけるマルチユーザＭＩＭＯ通信のフレーム構成例を示す図である。マルチユーザＭＩＭＯ通信のフレームは、従来プリアンブル信号１０２、プリアンブル信号１０３、各端末局宛のデータ信号１０４、パディングデータ１０５から構成する。図１０において、横軸は時間を表し、従来プリアンブル信号１０２は、マルチユーザＭＩＭＯ通信を用いないＳＩＳＯ（Single Input Single Output）通信で送信され、従来プリアンブル信号１０２より後の信号は、マルチユーザＭＩＭＯ通信で送信される。従来プリアンブル信号１０２は、タイミング同期・周波数同期・伝搬チャネル推定などを行う従来規格のショートプリアンブル・ロングプリアンブル・シグナル等で構成される。プリアンブル信号１０３も同様に、従来プリアンブルとは構成が異なる新規格のショートプリアンブル・ロングプリアンブル・シグナル等で構成される。データ信号１０４は、適応変調および空間多重を行った後のデータ信号である。パディングデータ１０５は、各端末局のデータ長を揃えるためのランダムビットの集合体である。 
【００１７】
図１０に示すように、従来のマルチユーザＭＩＭＯ通信などのマルチユーザ伝送のフレーム構成では、各ユーザ宛のデータ信号が異なる場合、マルチユーザの組のデータ長を揃えるため、短いデータフレームにランダムビットをパディングデータとして埋め込むことが行われる。そのため、一方のユーザへの通信が他方のユーザの通信の干渉になりかねないという問題がある。また、埋め込むパディングデータは通信に関係ないため非効率になるという問題もある。
【００１８】
本発明は、このような事情に鑑みてなされたもので、効率的かつ安定的にマルチユーザ伝送を行うことができる無線通信方法及び無線通信装置を提供することを目的とする。
【課題を解決するための手段】
【００１９】
本発明は、複数の無線局に信号を送信するマルチユーザ伝送を行う無線通信方法であって、送信すべき信号それぞれのビット長を算出する算出ステップと、前記算出ステップにより算出した最長ビット長より短いビット長の信号に対して、前記短いビット長の信号より長い部分の前記最長ビット長の信号のビット列を複製して付加することにより、送信すべき信号それぞれのビット長を同一にするビット付加ステップとを有することを特徴とする。
【００２０】
本発明は、複数の無線局に信号を送信するマルチユーザＭＩＭＯ通信を用いた無線通信方法であって、送信すべき信号それぞれのシンボル数を算出する算出ステップと、前記算出ステップにより算出した最大シンボル数より小さいシンボル数の信号に対して、前記小さいシンボル数の信号より大きい部分の前記最大シンボル数の信号を複製して付加することにより、送信すべき信号それぞれのシンボル数を同一にする信号付加ステップとを有することを特徴とする。
【００２１】
本発明は、前記信号付加ステップでは、前記信号の複製を行う際に、複製する信号に応じて変調方式の調整を行うことを特徴とする。
【００２２】
本発明は、前記信号付加ステップでは、前記信号の複製を行う際に、複製する信号に応じ送信ウエイトの調整を行うことを特徴とする。
【００２３】
本発明は、複数の無線局に信号を送信するマルチユーザ伝送を行う無線通信装置であって、送信すべき信号それぞれのビット長を算出する算出手段と、前記算出手段により算出した最長ビット長より短いビット長の信号に対して、前記短いビット長の信号より長い部分の前記最長ビット長の信号のビット列を複製して付加することにより、送信すべき信号それぞれのビット長を同一にするビット付加手段とを備えることを特徴とする。
【００２４】
本発明は、複数の無線局に信号を送信するマルチユーザＭＩＭＯ通信を用いた無線通信装置であって、送信すべき信号それぞれのシンボル数を算出する算出手段と、前記算出手段により算出した最大シンボル数より小さいシンボル数の信号に対して、前記小さいシンボル数の信号より大きい部分の前記最大シンボル数の信号を複製して付加することにより、送信すべき信号それぞれのシンボル数を同一にする信号付加手段とを備えることを特徴とする。
【発明の効果】
【００２５】
本発明によれば、効率的かつ安定的にマルチユーザ伝送を行うことができるという効果が得られる。
【図面の簡単な説明】
【００２６】
【図１】本発明の第１実施形態による無線通信装置の構成を示すブロック図である。
【図２】入力信号の構成の一例を示す図である。
【図３】出力信号の構成の一例を示す図である。
【図４】本発明の第２実施形態による無線通信装置の構成を示すブロック図である。
【図５】本発明の第３実施形態による無線通信装置の構成を示すブロック図である。
【図６】本発明の第４実施形態による無線通信装置の構成を示すブロック図である。
【図７】本発明の第５実施形態による無線通信装置の構成を示すブロック図である。
【図８】マルチユーザ−ＭＩＭＯ伝送の概念図を示す図である。
【図９】マルチユーザ−ＭＩＭＯ伝送の動作を示すタイムチャートである。
【図１０】無線ＬＡＮ標準規格におけるマルチユーザＭＩＭＯ通信のフレーム構成例を示す図である。
【発明を実施するための形態】
【００２７】
＜第１実施形態＞
以下、図面を参照して、本発明の第１実施形態による無線通信方法及び無線通信装置を説明する。第１実施形態における全体構成と、通信動作は、図８、図９に示すものと同様であるので詳細な説明を省略する。また、各端末局宛の信号の変調方式・符号化率・サブキャリア数・空間多重数は共通である。図１は、第１実施形態による無線通信装置の構成を示すブロック図である。なお、無線通信装置の構成を図１を参照して説明するに際して、マルチユーザ伝送を行う無線通信装置が普通に有する公知の機能・構成については、本発明の説明に直接関わりがない限り、その説明及び構成の図示を省略する。ここでは、無線通信装置が、図８に示す基地局１００であるものとして説明する。
【００２８】
図１に示すように、基地局１００は、端末局１０１−１〜Ａ（Ａは任意の自然数）の入力信号（端末局１０１〜Ａに送信すべき信号）それぞれのビット長を算出するビット長算出部１０６と、ビット長算出部１０６が算出したビット長に基づいて最長ビットの信号を最長ビットでない信号に複製信号を付加し端末局１０１−１〜Ａ宛ての出力信号を出力する複製信号付加部１０７とを備える。
【００２９】
入力信号は、符号化およびインターリーブ後の各端末局宛のビット信号であり、各信号のビット長は異なっている。例えば、端末局数を２とする場合（Ａが２の場合）は、図２に示す入力信号となる。図２は、入力信号の構成の一例を示す図である。入力信号は、端末局１０１−１宛てのＮ１ビット（Ｎ１は自然数）の信号と、端末局１０１−２宛てのＮ２ビット（Ｎ２は自然数）の信号から構成する。ただし、Ｎ２＜Ｎ１とする。
【００３０】
ビット長算出部１０６は、入力される端末局毎のビット信号からビット長の算出を行い、入力信号それぞれのビット長を複製信号付加部１０７に出力する。例えば、図２に示す信号を入力した場合、複製信号付加部１０７にはＮ１とＮ２が出力されることになる。
【００３１】
複製信号付加部１０７は、入力される入力信号毎のビット長をもとに、最長のビット長のビット信号よりも短いビット長のビット信号の入力信号の最後尾に対して、短いビット長の信号より最長ビット長の信号の長い部分のビット列を複製して付加することにより、入力信号それぞれのビット長を同一にして出力信号とする。例えば、図２に示す入力信号の場合、図３に示すように、端末局１０１−１の入力信号の短い入力信号より長い部分のビット列を端末局１０１−２の入力信号の最後尾に付加して出力信号とする。図３は、出力信号の構成の一例を示す図である。出力信号は、複製信号付加部１０７から出力される各端末局宛のビット信号であり、各信号のビット長は同じである。
【００３２】
このように、複数のビット信号の中から短いビット信号の最後尾にほか端末局宛のビット信号を複製して付加することにより、ランダムビット信号を付加することに比べて端末局間干渉が減ることになり、安定した通信を実現することができる。
【００３３】
＜第２実施形態＞
次に、本発明の第２実施形態による無線通信方法及び無線通信装置を説明する。第２実施形態における全体構成と、通信動作は、図８、図９に示すものと同様であるので詳細な説明を省略する。また、各端末局宛の信号の変調方式・符号化率・サブキャリア数・空間多重数は共通である。図４は、第２実施形態による無線通信装置の構成を示すブロック図である。なお、無線通信装置の構成を図２を参照して説明するに際して、マルチユーザ伝送を行う無線通信装置が普通に有する公知の機能・構成については、本発明の説明に直接関わりがない限り、その説明及び構成の図示を省略する。ここでは、無線通信装置が、図８に示す基地局１００であるものとして説明する。
【００３４】
図４に示すように、基地局１００は、端末局１０１−１〜Ａ宛ての入力信号を変調する変調部１０８と、入力信号それぞれのシンボル数を算出するシンボル数算出部１０９と、シンボル数算出部１０９が算出したシンボル数に基づいて信号を複製して他の信号に付加して端末局１０１−１〜Ａ宛の出力信号を出力する複製信号付加部１１０とを備える。入力信号は、符号化およびインターリーブ後の各端末局宛のビット信号であり、各信号のビット長は異なっている。
【００３５】
変調部１０８は、入力されるビット信号をサブキャリア数に応じて分配され、それぞれの信号に対して、ＢＰＳＫやＱＰＳＫなどの位相変調を行う。変調された信号であるＯＦＤＭ信号は、サブキャリア毎に出力される。
【００３６】
シンボル数算出部１０９は、入力される端末局毎かつサブキャリア毎のＯＦＤＭ信号の総数からＯＦＤＭシンボル数の算出を行う。例えば、１つのサブキャリア当たりのＯＦＤＭ信号の総数が１０の場合、ＯＦＤＭシンボル数は１０となる。 
【００３７】
複製信号付加部１１０は、入力される端末局毎のＯＦＤＭシンボル数をもとに、最大のＯＦＤＭシンボル数よりも小さいＯＦＤＭシンボル数のＯＦＤＭ信号の最後尾に、最大のＯＦＤＭシンボル数でないＯＦＤＭシンボル数よりも大きいＯＦＤＭシンボル数のＯＦＤＭ信号から複製した信号を最大のＯＦＤＭシンボル数と同じＯＦＤＭシンボル数となるように付加し、出力する。出力信号は、複製信号付加部１１０から出力される各端末局宛のＯＦＤＭ信号であり、各信号のＯＦＤＭシンボル数は同じである。
【００３８】
このように、端末局毎の変調方式・符号化率・サブキャリア数・空間多重数が異なっていたとしても、複数のＯＦＤＭシンボルの中から短いビット信号の最後にほか端末局宛のビット信号を付加することにより、ランダムビット信号を付加することに比べて端末局間干渉が減ることにより、安定した通信を実現することができる。
【００３９】
＜第３実施形態＞
次に、本発明の第３実施形態による無線通信方法及び無線通信装置を説明する。図５は、第３実施形態による無線通信装置の構成を示すブロック図である。図５において、図４に示す装置と同一の部分には同一の符号を付し、その説明を省略する。図５に示す装置が図４に示す装置と異なる点は、シンボル数算出部１１１が変調部１０８へ入力する前の入力信号からシンボル数を算出するようにした点である。
【００４０】
シンボル数算出部１１１は、入力される端末局毎のビット信号から（１）式を用いてシンボル数を算出する。
Ｌｎ＝Ｎｎ／（ＭＫＳＴ）  ・・・（１）
ここで、Ｌｎは端末局ｎのＯＦＤＭシンボル数である。Ｎｎは、端末局ｎ宛ての入力信号のビット長である。Ｍは変調方式で伝送可能なビット長、Ｋはサブキャリア数、Ｓは空間多重数、Ｔは４μ秒である。
【００４１】
このように、ＯＦＤＭシンボル数を算出する場所が変更しても、ＯＦＤＭシンボルの中から短いビット信号の最後にほか端末局宛のビット信号を付加することにより、ランダムビット信号を付加することに比べて端末局間干渉が減ることにより、安定した通信を実現することができる。
【００４２】
＜第４実施形態＞
次に、本発明の第４実施形態による無線通信方法及び無線通信装置を説明する。第４実施形態では、複製するＯＦＤＭ信号の変調方式を調整することで効率的な伝送を行うことができる。図６は、第４実施形態による無線通信装置の構成を示すブロック図である。図６において、図５に示す装置と同一の部分には同一の符号を付し、その説明を省略する。図６に示す装置が図５に示す装置と異なる点は、シンボル数算出部１１２が変調部１１３へ算出結果を出力するようにし、変調部１１３は、シンボル数に応じて変調を行うようにした点である。
【００４３】
シンボル数算出部１１２は、入力される端末局毎のビット信号から（１）式を用いてシンボル数を計算し、変調部１１３と複製信号付加部１１０に出力する。変調部１１３は、入力される端末局毎のＯＦＤＭシンボル数をもとに、最大のＯＦＤＭシンボル数よりも小さいＯＦＤＭシンボル数のＯＦＤＭ信号の最後尾に、短いＯＦＤＭシンボル数よりも長いＯＦＤＭシンボル数のＯＦＤＭ信号から複製する信号の変調方式および符号化率を変更し、変調を行う。具体的には、伝送レートが増加するように設定を行う。
【００４４】
このように、複製するＯＦＤＭシンボルの変調方式を調整することで効率的な通信を実現することができる。
【００４５】
＜第５実施形態＞
次に、本発明の第５実施形態による無線通信方法及び無線通信装置を説明する。第５実施形態では、複製するＯＦＤＭ信号の送信ウエイトを調整することで効率的な伝送を行うことができる。図７は、第５実施形態による無線通信装置の構成を示すブロック図である。図７において、図５に示す装置と同一の部分には同一の符号を付し、その説明を省略する。図７に示す装置が図５に示す装置と異なる点は、ウエイト演算部１１５が新たに設けられ、シンボル数算出部１１４がウエイト演算部１１５に算出結果を出力するようにした点である。
【００４６】
シンボル数算出部１１４は、入力される端末局毎のビット信号から（１）式を用いてシンボル数を計算し、複製信号付加部１１０とウエイト演算部１１５に出力する。ウエイト演算部１１５は、複製したＯＦＤＭシンボル数が付加された端末局に対して、干渉抑圧を行わない送信ウエイトを乗算する。
【００４７】
このように、複製するＯＦＤＭシンボルの送信ウエイトを調整することで効率的な通信を実現することができる。
【００４８】
従来の無線ＬＡＮ等のマルチユーザ伝送（マルチユーザＭＩＭＯやＯＦＤＭＡ）を実現する場合、マルチユーザの組のデータ長を揃えるため、短いデータフレームにランダムビットをパディングデータとして埋め込んでいる。マルチユーザ伝送といえども、一方のユーザへの通信が他方のユーザの通信の干渉になりかねない。また、パディングデータは通信に関係ないため非効率になる。前述した実施形態による無線通信装置は、短いデータフレームに最後部分に、マルチユーザ伝送の他方のデータフレーム（長いデータフレーム）の最後部分を付加するようにした。また、付加する信号の変調方式および符号化率を高く変更するようにした。これにより、最後部分に関して、他方のユーザの通信の干渉にならなくなり、マルチユーザ伝送の品質が安定するとともに、効率的な通信を実現することができる。
【００４９】
前述した実施形態における無線通信装置をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００５０】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００５１】
効率的かつ安定的にマルチユーザ伝送を行うことが不可欠な用途に適用できる。
【符号の説明】
【００５２】
１００・・・基地局、１０１−１、１０１−２・・・端末局、１０６・・・ビット長算出部、１０７、１１０・・・複製信号付加部、１０８、１１３・・・変調部、１０９、１１１、１１２、１１４・・・シンボル数算出部、１１５・・・ウエイト演算部
【図１】
2014192607.tif 000003
【図２】
2014192607.tif 000004
【図３】
2014192607.tif 000005
【図４】
2014192607.tif 000006
【図５】
2014192607.tif 000007
【図６】
2014192607.tif 000008
【図７】
2014192607.tif 000009
【図８】
2014192607.tif 000010
【図９】
2014192607.tif 000011
【図１０】
2014192607.tif 000012